(57)【要約】【課題】  調理室に向かって、傾斜配置された送風ファンによって流入される外部空気が曲面の隔壁に沿って発熱部品側に誘導されるため、別途のガイドなしに発熱部品を冷却できる電子レンジを提供する。【解決手段】  前記発熱部品と対向するように前記部品室に設けられて、外部空気を送風して、発熱部品を冷却する送風ファンと；前記送風ファンに隣接するように前記外部ケーシングに形成されて、前記送風ファンによって外部空気が流入される空気流入部と；曲面に形成されて、前記調理室と前記部品室を区切る隔壁とを有する。前記送風ファンは前記空気流入部から流入された外部空気が前記隔壁に沿って前記発熱部品に誘導されるように前記調理室に向かって傾斜配置される。【選択図】      図１
2006003073.tif 000002
【特許請求の範囲】
【請求項１】
調理室と発熱部品が設置された部品室を有する本体と、前記本体を囲む外部ケーシングを有する電子レンジにおいて、
前記発熱部品と対向するように前記部品室に設けられて、外部空気を送風して前記発熱部品を冷却する送風ファンと；
前記送風ファンに隣接するように前記外部ケーシングに形成されて、前記送風ファンによる外部空気が流入する空気流入部と；
曲面で形成されて前記調理室と前記部品室を区切る隔壁とを含み、
前記送風ファンは、前記空気流入部に流入した外部空気が前記隔壁に沿って前記発熱部品に誘導されるように前記調理室に向かい、傾斜配置されることを特徴とする電子レンジ。
【請求項２】
前記隔壁には、前記発熱部品を通過した外部空気が前記隔壁に沿って前記調理室で吸入される空気吸入孔と、前記調理室を通過した外部空気が排出する空気排出孔が形成されることを特徴とする請求項１に記載の電子レンジ。
【請求項３】
前記調理室及び前記部品室は、前記隔壁により各々前後方に配置されて、前記送風ファン及び前記発熱部品は、前記部品室の内部に左右方向に離隔配置されることを特徴とする請求項１に記載の電子レンジ。
【請求項４】
前記調理室及び前記部品室は、前記隔壁により各々前後方に配置されて、前記送風ファン及び前記発熱部品は、前記部品室の内部に左右方向に離隔配置されたことを特徴とする請求項２に記載の電子レンジ。
【発明の詳細な説明】
【技術分野】
【０００１】
本発明は、電子レンジに関し、より詳細には部品室の内の発熱部品を冷却させる空気流路が改善された電子レンジに関する。
【背景技術】
【０００２】
電子レンジは調理室に受容された食物にマイクロ波を出力することによって誘電加熱方式で食物を調理する機器である。
【０００３】
一般的に電子レンジは食物が受容される調理室と、供給された電圧を高電圧に変換させる高圧変圧器（Ｈｉｇｈ  Ｖｏｌｔａｇｅ  Ｔｒａｎｓｆｏｒｍｅｒ、ＨＶＴ）及び調理室の内でマイクロ波を出力するマグネトロン（ＭＧＴ）などの発熱部品が装着された部品室に分けられる。電子レンジの部品室の内部にはＨＶＴ及びＭＧＴなどの発熱部品による過熱を防止する冷却ファンが装着されている。ここで、冷却ファンにより供給された外部空気が発熱部品側に円滑に流入されるように誘導する装置が必要である。
【０００４】
韓国実用登録公報第０３３７６６２号の電子レンジには、長方形に形成されて、両側面に傾斜部を有する空気反射部材が空気誘導部の下部から延長形成されたエアーガイドが設けられる。
【０００５】
このような構成により、従来の電子レンジは過熱による電子レンジの効率低下を防止することができ、マグネトロン及び高圧トランスフォーマーの過熱による損傷を防止することができる。
【０００６】
しかし、このような従来の電子レンジにおいては、マグネトロン及び高圧変圧器などの発熱部品側に空気を誘導するエアーガイドが設置されなければならなく、これに伴いエアーガイドの生産及び組み立て工程が必要であるため、製造コストが上がる問題点があった。
【発明の開示】
【発明が解決しようとする課題】
【０００７】
本発明の目的は、前記の問題を解決するため、部品室の内の発熱部品を冷却させられる空気流路が改善された電子レンジを提供することである。
【課題を解決するための手段】
【０００８】
前記の目的を達成するため、本発明は、調理室と発熱部品が設置された部品室を有する本体と、前記本体を囲む電子レンジにおいて、前記発熱部品と対向するように前記部品室に設けられて、外部空気を送風して前記発熱部品を冷却する送風ファンと；前記送風ファンに隣接するように前記外部ケーシングに形成されて、前記送風ファンによって外部空気が流入される空気流入部と；曲面で形成されて前記調理室と前記部品室を区切る隔壁とを有する。また、前記送風ファンは、前記空気流入部に流入された外部空気が前記隔壁に沿って前記発熱部品に誘導されるように前記調理室に向かって、傾斜配置されることにより達成される。
【０００９】
ここで、前記隔壁には前記発熱部品を通過した外部空気が前記隔壁に沿って前記調理室で吸入される空気吸入孔と、前記調理室を通過した外部空気が排出される空気排出孔が形成されることが好ましい。
【００１０】
一方、前記調理室及び前記部品室は、前記隔壁により各々前後方向に配置されて、前記送風ファン及び前記発熱部品は、前記部品室の内部に左右方向に離隔配置されることが好ましい。
【発明の効果】
【００１１】
本発明によると、空気流入部から流入された外部空気が曲面の隔壁に沿って発熱部品側に誘導されるため、別途のガイドがなくても部品室内の発熱部品を十分に冷却させられる。また、発熱部品を通った空気も隔壁に沿って空気吸入孔を通過して調理室の内に吸入されるため、調理室の内の湿気を除去することができる。
【発明を実施するための最良の形態】
【００１２】
以下、添付図を参照して、本発明の望ましい実施形態を説明する。
【００１３】
図１及び図２に示された通り、本発明による電子レンジ１は、隔壁１１により相互分離された調理室１２及び部品室１３が形成された本体１０と、調理室１２の前方に装着されて、前面の開口１２ａを開閉し作動パネル３１が形成されたドア３０と、本体１０の外側に設置されて本体１０の外観を形成する外部ケーシング４０とを有する。
【００１４】
外部ケーシング４０は、本体１０の前方及び後方を囲む前方ケーシング４１及び後方ケーシング４２と、前方ケーシング４１及び後方ケーシング４２と共に本体１０を囲んで逆‘∪’形状の側上方ケーシング４３を有する。一方、本体１０の上部領域と側上方ケーシング４３の間には部品室１３の各種部品が装着されている板形状の装着ブラケット５０が設けられている。
【００１５】
調理室１２には食物が受容されて安着されるようにトレー１６が設けられている。
調理室１２と部品室１３の間に介した隔壁１１には、外部から流入された空気Ａが調理室１２の内に流入できるように空気吸入孔１４が貫通形成されている。また、隔壁１１には空気吸入孔１４と対向されるように形成されて、空気吸入孔１４から吸入された空気Ａが調理室１２の内部の湿気と一緒に調理室１２の外部に排出するように空気排出孔１５が貫通形成されている。ここで、隔壁１１は調理室１２と部品室１３を各々前後方に区画配置して、調理室１２がラウンド形状になるように曲面で形成されている。これによって、送風ファン２０による外部空気Ａが曲面形状の隔壁１１に沿って流れるようになる。
【００１６】
部品室１３には供給された電源を高電圧に変換させる高圧変圧器１７及び高圧変圧器１７からの高電圧を充電する高圧コンデンサー（ＨＶＣ）１８と、ＨＶＣ１８に充電された高電圧を利用して、電磁波を発生させて、調理室１２の内に供給するマグネトロン１９などの発熱部品が装着されている。このような発熱部品１７、１８、１９は、調理室１２の右側後方に設けられており、調理室１２の左側後方には外部空気Ａを送風して、発熱部品１７、１８、１９を冷却する送風ファン２０が設置されている。この時、後方ケーシング４２には送風ファン２０の回転により、外部空気Ａが部品室１３に流入されるように空気流入部４４が貫通形成されている。
【００１７】
空気流入部４４は、送風ファン２０によって部品室１３に外部空気Ａが円滑に流入される位置に複数個に貫通形成されることが好ましい。ここで、空気流入部４４が後方ケーシング４２に設けられているが、送風ファン２０に近づくように側上方ケーシング４３の左側面に形成される。
【００１８】
図３に示された通り、送風ファン２０は、ファン支持部２１に装着されており、この時ファン支持部２１及び送風ファン２０は、調理室１２を向かって傾斜配置されている。
このため、送風ファン２０の回転により、空気流入部４４から流入された外部空気Ａは曲面の隔壁１１に沿って部品室１３の発熱部品１７、１９側に進行して、発熱部品１７、１９を冷却させるため、従来に比べて、発熱部品１７、１９側に外部空気Ａを誘導するエアーガイドが不要になる。この時、発熱部品１７、１９を冷却させた空気Ａは、再び曲面の隔壁１１に沿って進行して隔壁１１の右側面に形成された空気吸入孔１４を通じて、調理室１２の内部に流入される。これに、発熱部品１７、１９を通過した空気Ａが曲面に沿って空気吸入孔１４に円滑に流入するため、別途のガイドが不要になる。
【００１９】
その後、調理室１２の内の空気Ａは、調理室１２の内部を循環した後、隔壁１１の左側面に形成された空気排出孔１５を通じて、調理室１２の外部に排出されることによって、調理室１２の内部の湿気が除去できる。その次に、隔壁１１の空気排出孔１５から排出された空気Ａは、装着ブラケット５０の上部空間５１に誘導されて、後方ケーシング４２に形成された空気排気部４５を通じて、電子レンジ１の外部に排出できる（図２参照）。従って、調理室１２の内部の高温多湿な空気Ａが円滑に排出されることによって、ドア３０の内面に湿気が多くなることを防止できる。
【００２０】
これとともに、送風ファン２０が調理室１２も向かって傾斜配置されることによって、空気流入部４４から流入された外部空気Ａが曲面の隔壁１１に沿って発熱部品１７、１９側に誘導されるため、別途のガイドが不要になり、部品室の１３内の発熱部品を十分に冷却させることが可能であり、発熱部品１７、１９を通った空気Ａも隔壁１１に沿って空気吸入孔１４を通して、調理室１２の内に吸入され、調理室の１２内の湿気を除去する。
【図面の簡単な説明】
【００２１】
【図１】本発明による電子レンジの前方分離斜視図である。
【図２】本発明による電子レンジの後方分離斜視図である。
【図３】本発明による電子レンジの空気流路を示した平断面図である。
【符号の説明】
【００２２】
１０    本体
１１    隔壁
１２    調理室
１２ａ  開口
１３    部品室
１４    空気吸入孔
１５    空気排出孔
１６    トレー
１７    高圧変圧器
１８    高圧コンデンサー
１９    マグネトロン
２０    送風ファン
２１    ファン支持部
３０    ドア
３１    作動パネル
４０    外部ケーシング
４１    前方ケーシング
４２    後方ケーシング
４３    側上方ケーシング
４４    空気流入部
４５    空気排気部
５０    装着ブラケット
５１    上部空間
Ａ      外部空気
【図１】
2006003073.tif 000003
【図２】
2006003073.tif 000004
【図３】
2006003073.tif 000005